(57)【要約】【課題】  網戸と下枠の間からの光漏れと虫の進入を防ぐことのできるサッシを提供する。【解決手段】  枠と網戸とを備え、網戸は縦框と下框を有し、縦框の下端には下端モヘアを備え、下端モヘアは、側方へ向け、下枠と縦框との隙間を塞ぐ側方モヘアを備える。【選択図】      図１
2018154989.tif 000002
【特許請求の範囲】
【請求項１】
枠と網戸とを備え、網戸は縦框と下框を有し、縦框の下端には下端モヘアを備え、下端モヘアは、側方へ向け、下枠と縦框との隙間を塞ぐ側方モヘアを備えることを特徴とするサッシ。
【発明の詳細な説明】
【技術分野】
【０００１】
本発明は、網戸を備えるサッシに関する。
【背景技術】
【０００２】
従来のサッシは、網戸の戸車を調整した際に網戸と下枠との間に隙間が生じることがあり、特に下枠上面がフラットの場合には光漏れするおそれがあった。
【発明の概要】
【発明が解決しようとする課題】
【０００３】
本発明は上記事情を鑑み、光漏れを防止するとともに虫の進入を防止したサッシを提供することを目的とする。
【課題を解決するための手段】
【０００４】
本発明のサッシは、枠と網戸とを備え、網戸は縦框と下框を有し、縦框の下端には下端モヘアを備え、下端モヘアは、側方へ向け、下枠と縦框との隙間を塞ぐ側方モヘアを備えることを特徴とする。
【発明の効果】
【０００５】
本発明によれば、網戸は縦框と下框を有し、縦框の下端には下端モヘアを備え、下端モヘアは、側方へ向け、下枠と縦框との隙間を塞ぐ側方モヘアを備えるため、網戸と下枠との間からの光漏れ及び虫の進入を防ぐことができる。
【図面の簡単な説明】
【０００６】
【図１】サッシの縦断面図である。
【図２】サッシの横断面図である。
【図３】網戸の要部を切り欠いて示す室内側正面図である。
【図４】網戸の要部を室内側下方から見た斜視図である。
【図５】モヘア取付具を示し、（ａ）は室内側下方から見た斜視図、（ｂ）は端部側の側面図である。
【図６】モヘア取付具の部品を示し、（ａ）はベースを室内側下方から見た斜視図、（ｂ）はベースの端部側の側面図、（ｃ）はベースの室内側正面図、（ｄ）は下端モヘアの側面図である。
【図７】戸車調整した際の下端モヘアを示すサッシ要部の縦断面図である。
【発明を実施するための形態】
【０００７】
以下、本発明の実施の形態を図面に基づいて説明する。なお以下において左右とは図２における左右方向を示すものとし、中央側及び端部側とは、網戸の左右の中央方向を中央側、網戸の左右の端部方向を端部側とする。本発明に係るサッシは、例えば引き違いサッシに適用されるものである。図１及び図２に示すように、上枠１ａと、下枠１ｂと、左右の縦枠１ｃ，１ｃを四周枠組みしてあり、その内周側の室内側に内障子２及び外障子３を備え、外障子３の室外側に網戸４を備える。内障子２、外障子３及び網戸４は、上枠１ａと下枠１ｂの間を摺動可能としてある。
【０００８】
上枠１ａは、下面の室外側端部に長手方向に沿って網戸４をガイドするガイドレール１１が設けてある。下枠１ｂは、室外側端部に位置する下枠上面１２が略フラットに形成してあり、網戸４の戸車６は、下枠上面１２を走行する。下枠上面１２の室外側には、長手方向に沿って網戸４をガイドするガイド溝１３が設けてある。
【０００９】
網戸４は、上框４１ａと、下框４１ｂと、左右の縦框４１ｃ，４１ｃを四周框組みして、その内周側に網材４２を張ってあり、上枠１ａと下枠１ｂの間にケンドン式に取り付けてある。上框４１ａには、上方へ開口する溝部４３が設けてあり、溝部４３に上枠１ａのガイドレール１１が挿し込まれて網戸４がガイドされる。下框４１ｂは、下方に開口するコ字形状であり、図３及び図４に示すように、端部側の内部にモヘア取付具５を備える。下框４１ｂのモヘア取付具５よりも中央側には、戸車６が取り付けてある。左右の縦框４１ｃ，４１ｃは、横断面矩形の中空材であり、下端は中央側見込面を切り欠いて下方に開口するコ字形状に形成してある。縦框４１ｃの切り欠き部内に下框４１ｂ端部が挿し込まれて框組みしてあり、角部において下框４１ｂ端部は縦框４１ｃの下端に内包されている。そのため、縦框４１ｃ下端の端部側見込面に取り付けたモヘア取付具５は、下框４１ｂの内部に位置する。また、縦框４１ｃ，４１ｃの室内側見付面には、長手方向に亘って室内側に向けた縦モヘア４４が取り付けてある。縦モヘア４４は、外障子３の框の室外側見付面に当接して外障子３と網戸４との隙間を塞ぎ、虫の進入を防ぐ。下框４１ｂ及び縦框４１ｃの下端には、室外側面を室内側面より下方に延出させて形成した垂下片４５が設けてあり、垂下片４５が下枠上面１２に設けたガイド溝１３に挿し込まれて、網戸４がガイドされる。
【００１０】
モヘア取付具５は、図５及び図６に示すように、縦框４１ｃ下端に固定されるベース５１とベース５１の下方に取り付けられる下端モヘア５２から構成してある。モヘア取付具５は、室内側モヘア５２ａが縦框４１ｃに設けた縦モヘア４４の延長線上に位置するよう左右の縦框４１ｃ，４１ｃ下端の下框４１ｂ内部に取り付けてある。なお、左右のモヘア取付具５，５は、左右対称な同一の構成のものである。
【００１１】
ベース５１は、樹脂製の略直方体形状の部材であり、下端モヘア５２を下方へ向けるとともに、室内側と側方の二方向に向けるものである。ベース５１の側面には取付穴５１ａが左右に亘って設けてある。ベース５１は、図３に示すように、縦框４１ｃと下框４１ｂとの角部に小口キャップ７を取り付けるためのネジ７ａを、取付穴５１ａへ挿入することにより縦框４１ｃ下端に固定される。取付穴５１ａの下方には、左右に亘ってモヘア取付溝５１ｂが形成してあり、モヘア取付溝５１ｂの下方には、モヘア取付溝５１ｂの内壁下端をベース５１の見込中心へ向かって延出させた押さえ部５１ｃ，５１ｃが形成してある。押さえ部５１ｃは下端モヘア５２の基部５３をモヘア取付溝５１ｂ内から外れないよう押さえるものである。また、押さえ部５１ｃの下方には、中央側に室内側ガイド部５１ｅ、端部側に側方ガイド部５１ｆが設けてあり、側方ガイド部５１ｆの端部側には、見付部５１ｇが形成してある。押さえ部５１ｃ，５１ｃは、側方ガイド部５１ｆと見付部５１ｇの上部において、中央側から端部側に向かって厚みが小さくなるよう形成してある。室内側の押さえ部５１ｃと室内側ガイド部５１ｅの間に形成される空間は、モヘア取付溝５１ｂから室内側及び下方へ向けて開口する開口部５１ｄとなっており、開口部５１ｄから下端モヘア５２が室内側及び下方へ向けて露出する。室内側ガイド部５１ｅは、モヘア取付溝５１ｂから露出する下端モヘア５２を、中央側において下方へ向けるとともに網戸４の室内側へ向けるためのものである。室内側ガイド部５１ｅは、室外側の押さえ部５１ｃから室内側に向かって延出しており、室内側端部はベース５１の室内側見付面よりも室外側にある。また、室内側ガイド部５１ｅの上面は、室外側を曲面に形成してある。そして、室内側ガイド部５１ｅの端部側を切り欠くようにして側方ガイド部５１ｆと見付部５１ｇが形成してある。詳しくは、見付部５１ｇは、室外側の押さえ部５１ｃの下端から下方へ延びる略垂直な面に形成してあり、側方ガイド部５１ｆは、室内側ガイド部５１ｅの室内側端部と見付部５１ｇとを繋ぎ中央側から端部側に傾斜する面に形成してある。なお、側方ガイド部５１ｆは、モヘア取付溝５１ｂから露出する下端モヘア５２を、端部側において下方へ向けるとともに網戸４の側方へ向けるためのものである。
【００１２】
下端モヘア５２は、平板状の基部５３を備え、基部５３がベース５１のモヘア取付溝５１ｂに挿入されて取り付けてある。下端モヘア５２の毛足は、縦モヘア４４の毛足よりも長く、先端部が外障子３の框の室外側見付面に当接するほどの長さを有する。下端モヘア５２は、側方へ向け、下枠１ｂと縦框４１ｃとの隙間Ｓを塞ぐ側方モヘア５２ｂと、室内側へ向け、下枠１ｂと縦框４１ｃとの隙間Ｓを塞ぐ室内側モヘア５２ａを備え、室内側モヘア５２ａと側方モヘア５２ｂは一体に形成してある。室内側モヘア５２ａは、ベース５１の中央側に位置し、先端部は室内側ガイド部５１ｅにガイドされて開口部５１ｄから下方及び室内側へ突出する。側方モヘア５２ｂは、ベース５１の端部側に位置し、室内側モヘア５２ａから捩れるように側方ガイド部５１ｆにガイドされ、先端部は開口部５１ｄからモヘア取付具５の下方及び端部側へ突出する。
モヘア取付具５を網戸４に取り付けると、図４に示すように、室内側モヘア５２ａと縦モヘア４４は連続する。そして、網戸４を上枠１ａと下枠１ｂの間に設置すると、室内側モヘア５２ａは、中間部から先端部が下枠上面１２に当接し、中間部において湾曲する。また、外障子３に隣接するモヘア取付具５の室内側モヘア５２ａは、先端部が外障子３の框の室外側見付面に当接する。側方モヘア５２ｂは、中間部から先端部が下枠上面１２に当接し、中間部において湾曲し、端部側へ向く。図２のように断面視すると、側方モヘア５２ｂは、室内側モヘア５２ａに連なって室内側から側方へ扇状に広がり、縦枠１ｃに隣接するモヘア取付具５の側方モヘア５２ｂは、先端部が縦枠１ｃの内周側見込面に当接する。
【００１３】
戸車６は、図３に示すように、車輪ケース６ａと車輪６ｂによって構成されている。車輪ケース６ａが下框４１ｂに固定されており、調節ネジ６ｃを操作することによって車輪６ｂの高さを調整できる。
次に、戸車６の車輪６ｂを高さ調整した際の下端モヘア５２について説明する。図７はサッシの要部の縦断面を示す。網戸４の縦框４１ｃの下端と下枠上面１２の間には隙間Ｓがある。室内側モヘア５２ａと側方モヘア５２ｂは、下方へ向かうとともに、室内側と側方の二方向へ広がることによって隙間Ｓを塞ぐ。戸車６を、図７（ｂ）のように、図７（ａ）よりも低い位置に調整した場合、網戸４の縦框４１ｃの下端と下枠上面１２との隙間Ｓは、図７（ａ）よりも大きくなるが、室内側モヘア５２ａと側方モヘア５２ｂが広がって隙間Ｓを塞ぐ。
【００１４】
このように構成した本発明のサッシによれば、縦框４１ｃの下端には下端モヘア５２を備え、下端モヘア５２は、側方へ向け、下枠１ｂと縦框４１ｃとの隙間Ｓを塞ぐ側方モヘア５２ｂを備えるため、側方において下枠上面１２と網戸４の縦框４１ｃ下端の間からの光漏れ及び虫の進入を防ぐことができる。下端モヘア５２は、室内側へ向け、下枠１ｂと縦框４１ｃとの隙間Ｓを塞ぐ室内側モヘア５２ａを備えるため、室内側において下枠上面１２と網戸４の縦框４１ｃ下端の間からの光漏れ及び虫の進入を防ぐことができる。
ベース５１のモヘア取付溝５１ｂに、下端モヘア５２の基部５３を挿入して取り付けるだけで、下端モヘア５２の毛流れを室内側及び側方並びに下方へ扇状に広げることができるため、施工性及び組立性が良好である。さらにベース５１は、縦框４１ｃに小口キャップ７を取り付けるためのネジ７ａを利用して縦框４１ｃに取り付けできるので、施工性および組立性が良好である。
室内側モヘア５２ａと側方モヘア５２ｂは一体のものであるため、一つの部材で室内側と側方の二方向において隙間Ｓを塞ぐことが可能となる。また、室内側モヘア５２ａと側方モヘア５２ｂは、室内側及び側方並びに下方へ向けて、それぞれ扇状に広がるように設けられるので、網戸４の戸車調整により縦框４１ｃの下端と下枠上面１２の間の隙間Ｓの寸法が変わっても、下端モヘア５２の毛先で寸法の変化を吸収して隙間Ｓを塞ぐことが可能である。
【００１５】
本発明は、上記の実施形態に限定されない。この発明は引き違いサッシに限定して適用されるものではなく、一般的な種々のサッシに適用可能なものである。また、モヘア取付具は、下端モヘアを室内側と側方の二方向に向けるものであれば形状はどのようなものであってもよい。
【符号の説明】
【００１６】
１ａ      上枠
１ｂ      下枠
１ｃ      縦枠
４        網戸
４１ａ    上框
４１ｂ    下框
４１ｃ    縦框
５        モヘア取付具
５２      下端モヘア
５２ａ    室内側モヘア
５２ｂ    側方モヘア
Ｓ        隙間
【図１】
2018154989.tif 000003
【図２】
2018154989.tif 000004
【図３】
2018154989.tif 000005
【図４】
2018154989.tif 000006
【図５】
2018154989.tif 000007
【図６】
2018154989.tif 000008
【図７】
2018154989.tif 000009